(57)【要約】  メッセージを伝送する方法が、それに関連する通信装置と共に開示される。本方法は、（ｉ）第１通信装置（ＩＢ）から第２通信装置（ＭＴ１）へ前記メッセージを送信するステップ；（ｉｉ）前記第２通信装置（ＭＴ１）に含まれているアドレスによって識別される第３通信装置（ＭＴ２，ＭＴ３，ＭＴ４，ＤＵ）に、前記メッセージ、前記メッセージの一部又は関連するメッセージを送信するステップ；及び（ｉｉｉ）前記ステップ（ｉｉ）における前記第３通信装置へ送信されたメッセージに関連して、前記第２通信装置（ＭＴ１）に関連付けられるエンティティにコンピュータ自動化報酬を与えるステップ；を有し、少なくとも前記ステップ（ｉ）の前では、前記第３通信装置（ＭＴ２，ＭＴ３，ＭＴ４，ＤＵ）を識別する前記アドレスが前記第１通信装置（ＩＢ）に未知である。
2005513888.tif 000002
【特許請求の範囲】
【請求項１】
メッセージを伝送する方法であって：
（ｉ）第１通信装置から第２通信装置へ前記メッセージを送信するステップ；
（ｉｉ）前記第２通信装置に含まれているアドレスによって識別される第３通信装置に、前記メッセージ、前記メッセージの一部又は関連するメッセージを送信するステップ；及び
（ｉｉｉ）前記ステップ（ｉｉ）における前記第３通信装置へ送信されたメッセージに関連して、前記第２通信装置に関連付けられるエンティティにコンピュータ自動化報酬を与えるステップ；
を有し、少なくとも前記ステップ（ｉ）の前では、前記第３通信装置を識別する前記アドレスが前記第１通信装置に未知である
ことを特徴とする方法。
【請求項２】
前記ステップ（ｉｉ）において、前記第３通信装置へ送信される前記メッセージが、前記第２通信装置から送信される
ことを特徴とする請求項１記載の方法。
【請求項３】
前記の自動化報酬が、前記第３通信装置へ前記メッセージを前記第２通信装置から送信する際に与えられる
ことを特徴とする請求項２記載の方法。
【請求項４】
更に、前記第３通信装置を識別する前記アドレスを前記第２通信装置から送信するステップを有し、前記ステップ（ｉｉ）において、前記第３通信装置へ送信される前記メッセージは、前記第２通信装置から前記第３通信装置を識別する前記アドレスを受信した、前記第２通信装置とは異なる通信装置から送信される
ことを特徴とする請求項１記載の方法。
【請求項５】
前記の自動化報酬が、前記第３通信装置を識別する前記アドレスを前記第２通信装置から送信する際に与えられる
ことを特徴とする請求項２記載の方法。
【請求項６】
前記第３通信装置を識別する前記アドレスが、前記第２通信装置から前記第１通信装置へ送信され；及び前記第３通信装置へ送信される前記メッセージが、前記第１通信装置から送信される
ことを特徴とする請求項４記載の方法。
【請求項７】
前記第３通信装置を識別する前記アドレスが、前記第１通信装置を介して、前記第２通信装置から第４通信装置へ送信され；及び前記第３通信装置へ送信される前記メッセージが、前記第４通信装置から送信される
ことを特徴とする請求項４記載の方法。
【請求項８】
前記第１通信装置が、近辺に位置する受信機に前記メッセージを無線ブロードキャストするように構築された情報ビーコンであり；及び前記第２通信装置が、前記情報ビーコンのブロードキャストを受信する短距離通信受信機を含む
ことを特徴とする請求項１記載の方法。
【請求項９】
前記第２通信装置が、前記第３通信装置の前記アドレスを含むアドレスブックを有する移動セルラ電話機である
ことを特徴とする請求項１記載の方法。
【請求項１０】
前記第３通信装置が、近辺の送信機から無線ブロードキャストされるメッセージを受信する、セルラ電話網と通信するために使用されるもの以外の通信受信機を含む
ことを特徴とする請求項９記載の方法。
【請求項１１】
移動可能な前記第３通信装置が、電子メールアドレスで識別されるコンピュータである
ことを特徴とする請求項９又は１０に記載の方法。
【請求項１２】
前記第３通信装置が、電話番号で識別される移動セルラ電話機である
ことを特徴とする請求項９又は１０に記載の方法。
【請求項１３】
前記メッセージが宣伝広告を有する
ことを特徴とする請求項１記載の方法。
【請求項１４】
前記メッセージが、商品又はサービスに償却される電子商品券又は割引券を有する
ことを特徴とする請求項１記載の方法。
【請求項１５】
前記の報酬が、商品又はサービスに償却される商品券又は割引券を含む
ことを特徴とする請求項１記載の方法。
【請求項１６】
前記商品券が、電子商品券であり、前記第２通信装置に送信される
ことを特徴とする請求項１５記載の方法。
【請求項１７】
前記の報酬が、前記第２通信装置に関連付けられる前記エンティティに属するアカウントに用立てられる金額を含む
ことを特徴とする請求項１５記載の方法。
【請求項１８】
前記第２通信装置が、移動セルラ電話機であり、対応するセルラ電話ネットワークプロバイダを介して報酬を受ける
ことを特徴とする請求項１５記載の方法。
【請求項１９】
前記報酬が放送時間の形式におけるものである
ことを特徴とする請求項１８記載の方法。
【請求項２０】
−  第１及び第２通信装置であって、前記第１通信装置は、前記第２通信装置にメッセージを送信するよう構築され、少なくとも前記メッセージの送信前に、前記第２通信装置は、前記第１通信装置には未知の第３通信装置を識別するアドレスを有するところの第１及び第２通信装置；及び
−  前記メッセージ又は前記メッセージの一部が前記第３通信装置に前記第２通信装置から転送される際に、前記第２通信装置に関連付けられるエンティティにコンピュータ自動化報酬を与えるよう構築されるコンピュータ報酬システム；
を有することを特徴とする通信システム。
【請求項２１】
−  第１及び第２通信装置であって、前記第１通信装置は、前記第２通信装置にメッセージを送信するよう構築され、少なくとも前記メッセージの送信前に、前記第２通信装置は、前記第１通信装置には未知の第３通信装置を識別するアドレスを有するところの第１及び第２通信装置；及び
−  前記第３つ新装置を識別する前記アドレスを前記第２通信装置から送信する際に、前記第２通信装置に関連付けられるエンティティにコンピュータ自動化報酬を与えるよう構築されるコンピュータ報酬システム；
を有することを特徴とする通信システム。
【請求項２２】
前記第２通信装置が、前記第３通信装置を識別する前記アドレスを前記第１通信装置に送信するよう構築され、及び前記第１通信装置は、前記第２通信装置に当初送信した前記メッセージ、前記メッセージの一部又は関連するメッセージを前記第３通信装置に送信するよう構築される
ことを特徴とする請求項２１記載の通信システム。
【請求項２３】
更に、第４通信装置を有し、前記第２通信装置は、前記第１通信装置を介して、前記第３通信装置を識別する前記アドレスを前記第４通信装置に送信するよう構築され、及び前記第４通信装置は、前記第２通信装置に当初送信した前記メッセージ、前記メッセージの一部又は関連するメッセージを前記第３通信装置に送信するよう構築される
ことを特徴とする請求項２１記載の通信システム。
【請求項２４】
情報ビーコンであって、メッセージ又はその一部を他の通信装置に転送し、そのように行なうことに対してコンピュータ自動化報酬を受けるように、前記情報ビーコンの近辺に位置する通信装置に、前記通信装置に関連付けられるエンティティに向けられた案内を含むメッセージを無線ブロードキャストするように構築される
ことを特徴とする情報ビーコン。
【請求項２５】
情報ビーコンであって、他の通信装置を識別するアドレスを送信し、そのように行なうことに対してコンピュータ自動化報酬を受けるように、前記情報ビーコンの近辺に位置する通信装置に、前記通信装置に関連付けられるエンティティに向けられた案内を含むメッセージを無線ブロードキャストするように構築される
ことを特徴とする情報ビーコン。
【請求項２６】
メッセージ又はその一部を他の通信装置に転送し、そのように行なうことに対してコンピュータ自動化報酬を受けるように、メッセージを受信し、該メッセージにおける前記通信装置に関連付けられるエンティティに向けられた案内を自動的に認識するように構築される
ことを特徴とする通信装置。
【請求項２７】
他の通信装置を識別するアドレスを送信し、そのように行なうことに対してコンピュータ自動化報酬を受けるように、メッセージを受信し、該メッセージにおける前記通信装置に関連付けられるエンティティに向けられた案内を自動的に認識するように構築される
ことを特徴とする通信装置。
【発明の詳細な説明】
【技術分野】
【０００１】
本発明は、メッセージを伝送する方法及びそれに関連する通信装置に関連する。
【背景技術】
【０００２】
広告や、販売促進用の電子的な商品券又はクーポン券を含むブロードキャスト用の情報ビーコンを近辺の受信機に、更には移動セルラ電話機又はＰＤＡに組み込まれる受信機に提供することが知られている。そのようなビーコンは、典型的にはショッピングモールに設けられ、広告やｅ商品券は、その近辺で利用可能なサービスや製品に関連する。また、そのようなビーコンは、典型的には、ブルートゥース（スウェーデン国のＬＭエリクソン社の登録商標）、ＩＥＥＥ８０２．１１又はジグビ（Ｚｉｇｂｅｅ）、ｉｒＤＡのような赤外線リンク等のような短距離無線ＲＦリンクを使用する。
【０００３】
更に、例えばＳＭＳを用いて、移動電話機にラージスケールテキストメッセージを送ること、及びメールショット広告のようにコンピュータにｅメールを送ることも知られている。
【発明の開示】
【発明が解決しようとする課題】
【０００４】
商取引が予想される販売促進に関し、有効なカバレッジ領域及びそのようなメッセージの潜在的な受信者数は、所与の任意の通信インフラストラクチャに関して最大化されることが望まれるのは当然である。しかしながら、そのビーコンの場所に特有の情報をメッセージが含むところの情報ビーコンを利用することは有利であるが、ビーコンの範囲外の受信機に到達することはできず、それらの装置のユーザの注意を引くことはできない。電子メールショット広告は、ロケーション固有ではないし、（特にテキストメッセージに関しては）安価でもなく、更に、事前に既知の受信者のアドレスを必要とする。
【０００５】
従って、本発明は、改善されたメッセージ伝送法を与えることを課題とする。
【課題を解決するための手段】
【０００６】
本発明によれば、そのような方法は、（ｉ）第１通信装置から第２通信装置へ前記メッセージを送信するステップ；（ｉｉ）前記第２通信装置に含まれているアドレスによって識別される第３通信装置に、前記メッセージ、前記メッセージの一部又は関連するメッセージを送信するステップ；及び（ｉｉｉ）前記ステップ（ｉｉ）における前記第３通信装置へ送信されたメッセージに関連して、前記第２通信装置に関連付けられるエンティティにコンピュータ自動化報酬を与えるステップ；を有し、少なくとも前記ステップ（ｉ）の前では、前記第３通信装置を識別する前記アドレスが前記第１通信装置に未知であることを特徴とする方法である。
【０００７】
そのような方法は、通信装置にメッセージを伝送することを可能にし、その通信装置はもしそうでなければそのメッセージを受信しないであろう。これは、第１及び第３通信装置間に何らの直接的な通信リンクもない場合を含み、その第３通信装置は第１の範囲外にあり、少なくともステップ（ｉ）の前に、第３通信装置は第１通信装置に知られていない。
【０００８】
また、第３通信装置に関連付けられるエンティティが、第２装置の連絡先又は個人的な友人のものである場合に、メッセージに含まれる情報は、その連絡先又は個人的友人により多くの注意を喚起するようなものである。これは、メッセージが宣伝広告を含む場合に特に望まれる。
【０００９】
報酬を与えることは、第２通信装置に関連付けられるエンティティがそのメッセージを伝送することの動機付けとして機能し、商品やサービスに償却される商品券又は割引券を含んでいてもよく、電子商品券の場合には、第２通信装置に送信されてもよい。また、報酬は、第２通信装置に関連付けられるエンティティに属するアカウントにクレジットされる金銭でもよいし、また、第３通信装置が移動セルラ電話機である場合には、その報酬は、例えば通信時間の形式のように、関連するセルラ電話ネトワークプロバイダを通じて与えられてもよい。
【００１０】
メッセージ配信に関し、メッセージは、（おそらくは自動化された報酬が与えられる際に）第３通信装置に第２通信装置から送信されてもよい。或いは、メッセージは、（おそらくは自動報酬が与えられる際に）第３通信装置を識別するアドレスを送信することで間接的に第３通信装置へ第２通信装置から送信されてもよい。
【００１１】
間接的に配信する場合に、メッセージは、第３通信装置に、そのアドレスを受信した第２通信装置以外の通信装置から送信されてもよい。例えば、前記アドレスが、前記第２通信装置から前記第１通信装置へ送信され、及び前記第３通信装置へ送信される前記メッセージが、前記第１通信装置から送信されてもよい。或いは、第４通信装置が使用されてもよく、前記アドレスが、選択的に前記第１通信装置を介して、前記第２通信装置から第４通信装置へ送信され、及び前記第３通信装置へ送信される前記メッセージが、前記第４通信装置から送信される。
【００１２】
上述の方法における通信装置の性質に関し、前記第１通信装置は、ビーコンの範疇における近辺に位置する受信機に前記メッセージを無線ブロードキャストするように構築され、前記第２通信装置は、前記ビーコンのブロードキャストを受信する短距離通信受信機を含む。
【００１３】
前記第２通信装置は、前記第３通信装置の前記アドレスを含むアドレスブックを有する移動セルラ電話機であってもよいし、選択的に、近辺の送信機から無線ブロードキャストされるメッセージを受信する、セルラ電話網と通信するために使用されるもの以外の通信受信機を含んでもよい。
【００１４】
移動可能な第３通信装置は、電子メールアドレスにより識別されるコンピュータであってもよいし、又は電話番号で識別される移動セルラ電話機であってもよい。
【００１５】
本発明によれば、添付の特許請求の範囲中の請求項２０乃至請求項２７に記載されるような関連するシステム及び装置も与えられる。
【００１６】
本発明は、添付の概略図を参照しながら、単なる例示により説明される。
【発明を実施するための最良の形態】
【００１７】
図１に示される通信インフラストラクチャでは、情報ビーコンＩＢは、ブルートゥース短距離通信リンクを用いて、近辺のブルートゥース送受信機に情報をブロードキャストする。この情報は、ビーコンの場所に関連し、ローカルな業務、そのローカルな業務の製品やサービスに関する広告、及びそれらの製品及びサービスに関するｅ商品券を含む。特に、情報は、ローカルな小売り特約店ＲＯに関してブロードキャストされる。全ての情報は、個人的なフィルタリング用のメタデータによってタグ付けされ、ＵＲＬ及び電話番号を含む関連情報へのリンクによって補足される。
【００１８】
移動セルラ電話ＭＴ１は、近所のセルラ電話ネットワーク基地局Ｂ１に登録され、対応するセルラ電話ネットワークコントローラＮＣ１及び公衆交換電話網ＰＳＴＮと共に、その基地局を通じて音声及びデータの通信を促進する。電話ＭＴ１は、ビーコンＩＢ及び電話機ＭＴ２を含む近辺のブルートゥース送信機及び受信機と直接的に通信してもよい。
【００１９】
移動セルラ電話機ＭＴ２は、電話機ＭＴ１を含む近辺のブルートゥース受信機と直接的に通信することができるが、図示の簡明化のため、電話機ＭＴ２は情報ビーコンＩＢの範囲外にあることが想定される。
【００２０】
移動セルラ電話機ＭＴ３は、近辺のセルラ電話ネットワーク基地局Ｂ２に登録され、対応するセルラ電話ネットワークコントローラＮＣ１と共に、即ち電話機ＭＴ１と同じ電話網を用いて、基地局を介して音声及びデータ通信を促進する。
【００２１】
移動セルラ電話機ＭＴ４は、近辺のセルラ電話ネットワーク基地局Ｂ３に登録され、対応するセルラ電話ネットワークコントローラＮＣ２と共に、即ち電話機ＭＴ１及びＭＴ３とは異なる電話網を用いて、基地局を介して音声及びデータ通信を促進する。
【００２２】
３つのオンラインコンピュータシステムが描かれており、それらは、領域内ユーザＤＵ、情報ビーコンの近辺に位置している小売り特約店ＲＯ及びメディアエージェンシーＭＡにそれぞれ所属し、それらはワールドワイドウェブに接続される。
【００２３】
図１に示される通信インフラストラクチャの上述の要素自体は全体的に従来のものであるので、本発明に直接的に関係しない要素の態様は、ここでは更には説明されない。
【００２４】
ブルートゥース通信リンクを用いて、情報ビーコンＩＢは、移動電話機ＭＴ１を含む近辺の受信機にメッセージを同報送信する。本発明によれば、以下の各例に示されるように、移動電話機ＭＴ１，ＭＴ２，ＭＴ３及びＭＴ４を含む情報ビーコン及び固定された領域内ユーザ端末ＤＵへの何らの直接的なリンクなしに、情報が受信機へ更に伝搬されてもよいし、及び移動電話機ＭＴ１のユーザは、それ相当に報酬を受ける。
【実施例１】
【００２５】
小売特約店の近辺に位置する情報ビーコンを利用して、小売特約店における来るべき特売を宣伝するように、オンラインメディアエージェンシーのコンピュータシステムＭＡに指示するために、小売特約店はそのコンピュータシステムＲＯを利用する。メディアエージェンシーのコンピュータシステムＭＡは、来る特売を宣伝するメッセージをブロードキャストするために、ビーコンコントローラＢＣが情報ビーコンを構築するように指示し、これらのメッセージは、そのブルートゥースリンクを用いて移動電話機ＭＴ１により受信される。
【００２６】
情報ビーコンＩＢにより同報送信されたメッセージは、更に、移動電話機ＭＴ１のユーザへの提案を含み、その提案は、その小売特約店における特売に興味があるかもしれない友人や家族のような他のユーザのアドレスを提供できる場合には、ユーザは、移動電話機ＭＴ１に関する移動電話ネットワークプロバイダ（図示せず）から無料の放送時間の報酬を得るものである。ネットワークプロバイダは、ネットワークコントローラＮＣ１のオペレータである。
【００２７】
移動電話機ＭＴ１は、ユーザの命令に従って、その電話機に格納されたいくつかの友人の詳細内容を送信するように構築され、その内容は、移動電話ＭＴ２，ＭＴ３及びＭＴ４の電話番号及び領域内ユーザＤＵのＰＣに関するｅメールアドレスを含む。これらの詳細内容は、ビーコン、ＰＳＴＮ及びウェブを通じて、メディアエージェンシー（ＭＡ）のコンピュータシステムに送信される。これらの詳細内容を受信すると、メディアエージェンシーのコンピュータシステムは、ＰＳＴＮ及び各自のセルラ電話ネットワークを通じて、電話機ＭＴ２，ＭＴ３及びＭＴ４にテキストメッセージを送信し、領域内ユーザＤＵのＰＣに対するｅメールアドレスにｅメールを送信する。これらの各々は、その小売特約店における来るべき特売についての広告を含む。メディアエージェンシーのコンピュータシステムは、移動電話ＭＴ１に関するネットワークプロバイダが、付加的な放送時間によりユーザに報いることを要求するように、ネットワークコントローラＮＣ１に指示を送る。
【実施例２】
【００２８】
メディアエージェンシーにより電話機ＭＴ２，ＭＴ３及びＭＴ４に送信されたテキストメッセージの各々及び領域内ユーザＤＵへ送信されたｅメールが、ユーザを小売特約店のウェブサイトに向けるハイパーリンクを含むことを除いて実施例１と同様。また、ハイパーリンクは、移動電話機ＭＴ１のユーザに関連する識別子を含む。電話機ＭＴ２，ＭＴ３，ＭＴ４のうちの任意のユーザ又は領域内ユーザが、このハイパーリンクを選択し、例えばコンピュータシステムＲＯにてホストされる小売特約店のウェブサイトを見るならば、「ヒット又は該当（ｈｉｔ）」がメディアエージェンシー（ＭＡ）のコンピュータシステムに報告される。ヒットの各々について、メディアエージェンシーのコンピュータシステムは、移動電話ＭＴ１のネットワークプロバイダが付加的なエアータイムでユーザに報酬を与えることを要求するために、ネットワークコントローラＮＣ１に指示を送る。選択的に、「ヒット」が結果的にその小売特約店からのオンライン購入になった場合は、そのユーザは更なるエアー時間による報酬を得てもよい。
【実施例３】
【００２９】
小売特約店の近辺に位置する情報ビーコンを用いて、オンラインメディアエージェンシーのコンピュータシステムＭＡが、その小売特約店における来るべき特売を宣伝するために、小売特約店がそのコンピュータシステムＲＯを利用する限りにおいて、実施例１と同様である。
【００３０】
しかしながら、情報ビーコンから同報送信されるメッセージに別の提案が含まれ、その提案は、ユーザが彼の又は彼女の連絡先にそのメッセージを直接的に転送することを示唆する。これは、そのユーザの連絡先が第三者に公表されない点で、実施例１及び２よりもおそらくは好ましい。
【００３１】
実施例２と同様に、そのメッセージはハイパーリンクを含み、そのリンクは、小売特約店のウェブサイトにユーザを仕向け、移動電話機ＭＴ１のユーザに関連付けられる識別子も含む。電話機ＭＴ１のユーザが、彼の連絡先にｅメールを転送し（電話機ＭＴ２，ＭＴ３，ＭＴ４のユーザ、及び領域内ユーザＤＵ）、それらの連絡先の１つがハイパーリンクを選択して小売特約店のウェブサイトを眺めたとすると、メディアエージェンシーＭＡのコンピュータシステムに「ヒット」が報告される。移動電話機ＭＴ１により転送されたメッセージから発する５つのヒットの各グループについて、メディアエージェンシーのコンピュータシステムは、移動電話ＭＴ１のネットワークプロバイダが付加的なエアタイムでユーザに報酬を与えることを要求するために、ネットワークコントローラＮＣ１に命令を送る。５つのヒットの以後の各グループについて、報酬として与えられたエアタイム量は減らされる。
【実施例４】
【００３２】
小売特約店の近辺に位置する情報ビーコンを用いて、オンラインメディアエージェンシーのコンピュータシステムＭＡが、その小売特約店における来るべき特売を宣伝するために、小売特約店はそのコンピュータシステムＲＯを利用する限りにおいて、実施例１と同様である。
【００３３】
しかしながら、情報ビーコンからブロードキャストされるメッセージにｅクーポン（商品券）が提案と共に含まれ、その提案は、移動電話ＭＴ１のユーザが、彼又は彼女の連絡先に（移動電話ＭＴ１のユーザにそれを関連付ける識別子と共に）そのｅクーポンを含むメッセージを直接的に転送することである。そのうちのある者が小売特約店でｅクーポンを償却したならば、その顧客はメディアエージェンシーＭＡのコンピュータシステムに報告され、そのユーザは上述したようにエアタイムにより報酬を受ける。
【実施例５】
【００３４】
小売特約店ＲＯで償却されることの可能なｅクーポンを電話機ＭＴ１に送信することで、移動電話機ＭＴ１のユーザにメディアエージェンシーが報酬を与える点を除いて、実施例１乃至４と同様である。
【００３５】
実施例３及び４に加えて、ユーザは、彼又は彼女の連絡先にメッセージを転送する責務を負う。各例において、メッセージは、完全に又は部分的に送信されもよく、ユーザの電子的な定型的な又はテンプレートのスタイルがメッセージに適用されるように詰め直されてもよい。更に、この転送は、ビーコンの範囲内に速やかに行なわれてもよいし、転送を遅らせるためにメッセージを電話機ＭＴ１に格納することによって延期してもよい。例えば、これは、そのようなメッセージングの料金がより低額な時に移動機から、又は移動電話機ＭＴ１が接続され且つメッセージを更新する家庭用又は事務用電話機のような固定ネットワークポイント（図示せず）からでもよい。
【００３６】
そのような転送のコストは、送信されることの可能なメッセージを通じて無料の又は低料金の番号を与えることで、メディアオペレーティングエージェンシー及び／又は特約小売店に負担させてもよい。例えば、ペイロード内でユーザの連絡先の電話番号と共にメディアエージェンシーの無料の番号を送信することで、メッセージが転送されてもよい。その連絡先番号は、メディアエージェンシーのコンピュータシステムによりテキストメッセージから取り出され、メディアエージェンシーの費用負担の下にその連絡先にメッセージが再送信されることが可能である。また、本発明は移動電話機に関して主に説明されているが、当然に、ＰＤＡ、ラップトップコンピュータ及びデスクトップコンピュータを含む他の通信装置がそのような移動電話機に代わって同様に使用されることは理解されるであろう。
【００３７】
この開示内容を理解することで、当業者には他の変形も明白であろう。そのような変形は、データ通信システム及びその部品の設計及び用途において既に知られている特徴及びここに既に開示された特徴に代えて又はそれに加えて使用される特徴を含んでもよい。本願において、特許請求の範囲は複数の特徴の特定の組合せで記載されているが、目下請求項で請求されているものと同一発明に関連してもしなくても、また、本発明と同じ技術的課題の全部又は一部を解決してもしなくても、本願の開示の範囲は、明示的に又は黙示的にここに開示された、任意の新規な特徴、特徴の任意の新規な組合せ又は当業者に明白な１以上のそれらの特徴の一般化をも含むことが理解されるべきである。本願又は本願から派生した更なる出願の権利化の際に、新規な特許請求の範囲がそのような特徴及び／又はそのような特徴の組合せに記載されるに留意を要する。
【図面の簡単な説明】
【００３８】
【図１】本発明による方法を用いてメッセージが伝送される通信インフラストラクチャを示す。
【図１】
2005513888.tif 000003
【国際調査報告】
2005513888.tif 000004
2005513888.tif 000005